(57)【特許請求の範囲】
【請求項１】
屋外に設置される冷凍機と、屋内の冷凍庫・冷蔵庫に設置されるユニットクーラと、前記冷凍機および前記ユニットクーラを制御するコントローラと、を備える冷凍機システムにおいて、前記コントローラから前記冷凍機の運転データおよび異常情報を受け取って表示するとともに、運転状態を遠隔操作するリモコン装置であって、
冷凍装置に関する情報を表示する表示部と、
前記冷凍装置の制御内容を設定するための設定部とを筺体に備え、
前記表示部は、
通常時、セグメントＬＥＤが、自己の設置場所の周囲環境にかかわらず、常時、自発光して前記冷凍装置に関する情報のうち、前記冷凍庫・冷蔵庫の庫内温度を表示する第１の表示領域と、
照明手段が備わる液晶ディスプレイにより前記庫内温度以外の前記冷凍装置に関する情報を表示する第２の表示領域と、を有する
ことを特徴とするリモコン装置。
【請求項２】
前記表示部は、前記筺体の正面部に配置された長方形状の表示領域を備え、
前記第１の表示領域は、前記長方形状の表示領域内の端部に沿って表示領域内に横長に配置される
ことを特徴とする請求項１に記載のリモコン装置。
【請求項３】
前記第１の表示領域は、前記長方形状の表示領域内の４つの角部のうちの１つに配置される
ことを特徴とする請求項２に記載のリモコン装置。
【請求項４】
前記第２の表示領域は、前記長方形状の表示領域内の角部に配置された前記第１の表示領域を取り囲むように表示領域内に配置される
ことを特徴とする請求項３に記載のリモコン装置。
【請求項５】
前記第１の表示領域と前記第２の表示領域との間に遮光手段を備える
ことを特徴とする請求項１に記載のリモコン装置。
【請求項６】
前記設定部は、前記冷凍装置の庫内温度を設定し、
前記第１の表示領域は、前記庫内温度を表示し、
前記第２の表示領域は、前記庫内温度以外の前記冷凍装置に関する情報を表示する
ことを特徴とする請求項１に記載のリモコン装置。
【請求項７】
前記設定部は、前記第１の表示領域に表示する前記庫内温度と、前記第２の表示領域に表示する前記庫内温度以外の前記情報の表示内容とを切り換える
ことを特徴とする請求項６に記載のリモコン装置。
【発明の詳細な説明】
【技術分野】
【０００１】
本発明は、冷凍装置用のリモコン装置に関する。
【背景技術】
【０００２】
冷凍装置用のリモコン装置の表示部には液晶ディスプレイが使用されている。液晶ディスプレイは、バックライトを備え、バックライトを点灯することで視認性を確保する。信頼性確保や消費電力低減のために、通常時はバックライトを消灯し、必要なときにのみバックライトを点灯するようにしている。
【０００３】
特許文献１には、器具への指示信号を入力操作する操作部、前記器具の設定状態、運転状態及び操作内容の表示を行う表示部、前記表示部の表示内容を明るくするバックライト部、前記操作部の入力操作を信号として受信するＩＣ並びにセンサにより人体を検出する人体検出部を有したリモコンと、前記人体検出部で人体の存在を検出した時前記バックライト部を点灯制御する制御部を備えた給湯機の制御装置が記載されている。
【先行技術文献】
【特許文献】
【０００４】
【特許文献１】特開平１１−２９４８４６号公報
【発明の概要】
【発明が解決しようとする課題】
【０００５】
特許文献１に記載の装置は、人体検出部として人感センサが必要になる。このため、コストアップとなる。また、比較的小さいリモコン装置の筺体に人感センサを設置しようとすると、感度調整が難しく、使いこなすための技術が必要となり、制御が複雑化する課題がある。
本発明は、このような事情に鑑みてなされたものであり、消費電力を抑制しつつ視認性を向上させることができるリモコン装置を提供することを課題とする。
【課題を解決するための手段】
【０００６】
上記課題を解決するために、本発明のリモコン装置は、屋外に設置される冷凍機と、屋内の冷凍庫・冷蔵庫に設置されるユニットクーラと、前記冷凍機および前記ユニットクーラを制御するコントローラと、を備える冷凍機システムにおいて、前記コントローラから前記冷凍機の運転データおよび異常情報を受け取って表示するとともに、運転状態を遠隔操作するリモコン装置であって、冷凍装置に関する情報を表示する表示部と、前記冷凍装置の制御内容を設定するための設定部とを筺体に備え、前記表示部は、通常時、セグメントＬＥＤが、自己の設置場所の周囲環境にかかわらず、常時、自発光して前記冷凍装置に関する情報のうち、前記冷凍庫・冷蔵庫の庫内温度を表示する第１の表示領域と、照明手段が備わる液晶ディスプレイにより前記庫内温度以外の前記冷凍装置に関する情報を表示する第２の表示領域と、を有することを特徴とする。
【発明の効果】
【０００７】
本発明によれば、消費電力を抑制しつつ視認性を向上させることができるリモコン装置を提供する。
【図面の簡単な説明】
【０００８】
【図１】本発明の実施形態に係るリモコン装置を備える冷凍機システムの概略図である。
【図２】上記実施形態に係るリモコン装置の全体構成を示す図である。
【図３】上記実施形態に係るリモコン装置の表示部の詳細構成を示す図である。
【図４】上記実施形態に係るリモコン装置の遮光手段の詳細構成を示す図である。
【図５】上記実施形態に係るリモコン装置の状態遷移を示す図である。
【発明を実施するための形態】
【０００９】
以下、本発明の実施形態について図面を参照して詳細に説明する。なお、各図において共通する部分には同一の符号を付し、重複した説明を省略する。
図１は、本発明の実施形態に係るリモコン装置を備える冷凍機システムの概略図である。
図１に示すように、冷凍機システム１（冷凍装置）は、屋外に設置される冷凍機２と、屋内の冷凍庫・冷蔵庫１０に設置されるユニットクーラ３と、冷凍機２およびユニットクーラ３を制御するコントローラ４と、コントローラ４から冷凍機２の運転データや異常情報を受け取って表示するとともに、運転状態を遠隔操作するリモコン装置１００と、を備える。冷凍機２とユニットクーラ３は、図示しない冷媒配管により接続される。なお、リモコン装置１００は、複数接続されるものでもよい。また、リモコン装置１００は、冷凍庫・冷蔵庫１０内に設置されるものでもよい。
【００１０】
冷凍機２は、作動流体を圧縮する圧縮機（図示省略）と、圧縮した作動流体を放熱させる第一の熱交換手段と、を備える。また、ユニットクーラ３は、作動流体を減圧する減圧手段と、減圧した作動流体を吸熱させる第二の熱交換手段と、を備える。なお、第一の熱交換手段および第二の熱交換手段には、運転中に霜が付着する虞がある。
冷凍機２とコントローラ４は、伝送線５で配線され、相互のデータを送受信する。冷凍機２は、コントローラ４から冷凍庫・冷蔵庫１０の庫内温度（冷凍機２に関する情報）を受け取り、庫内温度を基に圧縮機の回転速度を周期数制御する。
【００１１】
コントローラ４は、冷凍機２が複数接続される場合、複数の冷凍機２の運転状態、設定温度、測定温度等をモニタ画面（図示省略）に表示する。また、コントローラ４は、タッチパネル（図示省略）により複数の冷凍機２の運転／停止・強制除霜の操作、および庫内温度設定を行う。コントローラ４は、冷凍機２の運転データや異常情報を受け取る。コントローラ４は、上記第一の熱交換手段と第二の熱交換手段により付着した霜を取り除く除霜運転を行う。
リモコン装置１００は、コントローラ４を経由して送られた冷凍機２の運転データや異常情報、冷凍庫・冷蔵庫１０の冷凍機２に関する情報（例えば庫内温度）を表示する。
【００１２】
図２は、本発明の実施形態に係るリモコン装置１００の全体構成を示す図である。
図２に示すように、リモコン装置１００の筐体１００ａは、熱可塑樹脂等の不透明な樹脂からなる外装ケース１０１と、熱可塑樹脂等の樹脂からなる背面ケース（図示省略）とが接合されてなる。外装ケース１０１と背面ケースとは、外周形状が略同一に構成され、外装ケース１０１の背面に背面ケースが接合される。なお、背面ケースは、例えば冷凍庫・冷蔵庫１０の壁にリモコン装置１００を取り付ける底部となり、リモコン装置１００を壁に取り付けるネジを通すための固定孔（図示省略）が形成されている。
外装ケース１０１は、正面視して略正方形形状であり、上半部１１１と下半部１１２とを有する。外装ケース１０１の上半部１１１には、表示部１２０を覆うクリアカバー１５０を露出させる矩形形状の窓部１１１ａと、運転／停止スイッチ２０１と設定調整スイッチ２０２とをそれぞれ露出させる円形の開口部１１１ｂ，１１１ｃとが形成される。また、蓋１１３を開くときの指爪等の案内部となる半円形状の凹部１１１ｄが形成される。
【００１３】
筐体１００ａの背面ケース（図示省略）には、使用者がリモコン装置１００を操作するためのスイッチ類やリモコン装置１００の電気的な動作を実現するための各種電子部品が実装される回路基板１４０（図４参照）が配置される。この回路基板１４０（図４参照）の外装ケース１０１の側には、リモコン装置１００の動作状態や、リモコン装置１００が制御する冷凍機２の動作状態、設定状態等（冷凍機２に関する情報）を表示するための表示部１２０が実装され、使用者が、外装ケース１０１の外側から表示部１２０の表示を視認できるように、筐体１００ａが構成されている。
【００１４】
表示部１２０は、常時発光して冷凍機２に関する情報（例えば、庫内温度）を表示するセグメントＬＥＤ（Light Emitting Diode）１３１を有する第１の表示領域１２１と、バックライト（照明手段）が備わるＬＣＤ（Liquid Crystal Display）液晶ディスプレイ１３２により冷凍機２に関する情報（例えば、庫内温度以外の曜日、時刻、号機、異常コード、運転状態など）を表示する第２の表示領域１２２と、を備える。なお、表示部１２０の詳細については、図３により後記する。
【００１５】
外装ケース１０１には、窓部１１１ａを覆う外装部品として、クリアカバー１５０が備わっている。クリアカバー１５０は、例えば、透明な樹脂からなる薄い板状の部材であって、外装ケース１０１の裏側（背面ケースの側）から、窓部１１１ａを覆うように取り付けられる。外装ケース１０１に取り付けられるクリアカバー１５０は、一度取り付けたら取り外される必要がないことから、本実施形態に係るリモコン装置１００は、クリアカバー１５０と外装ケース１０１の接合部が振動溶着（超音波溶着、摩擦溶着）で溶着される構成とする。この場合、クリアカバー１５０の全周が外装ケース１０１の窓部１１１ａを覆うように溶着されることで、クリアカバー１５０を外装ケース１０１に、水密的に溶着できる。
クリアカバー１５０の形状は限定するものではない。例えば、クリアカバー１５０は、窓部１１１ａの開口面積より大きい面積の板状を呈し、外装ケース１０１の裏側から窓部窓部１１１ａを覆うように取り付けられる構成であればよい。さらに、例えば、クリアカバー１５０に、窓部１１１ａと同じ形状の凸部を設け、この凸部が外装ケース１０１の窓部１１１ａに嵌り込む構成とすれば、外装ケース１０１とクリアカバー１５０を平面に構成することができ、リモコン装置１００に優れた意匠性を付与することができる。なお、クリアカバー１５０は、外装ケース１０１の表側（背面ケースと反対の側）から取り付けられる構成であってもよい。
【００１６】
一方、外装ケース１０１の下半部１１２の底部（筐体１００ａの底部）には、図示しないヒンジを介して蓋１１３が取り付けられる。蓋１１３は、外装ケース１０１の底部を基点として上方向に回動自在に開閉される。蓋１１３の裏面には、閉時に、外装ケース１０１の下半部１１２上部の係合部１１４に係合するフック１１５が形成されている。フック１１４が形成されている蓋１１３の裏側位置、すなわち外装ケース１０１の表面中央位置には、半円形状の凸部（図示省略）が形成される。この半円形状の凸部は、上半部１１１に形成された半円形状の凹部１１１ｄと視覚的に繋がることで、全体として円形を視認させる。外装ケース１０１の上半部１１１の表面の凹部１１１ｄと下半部１１２の表面の凸部（図示省略）との間の段差により、指爪等が引っ掛かり易くなり、蓋１１３の引き出し容易である。
蓋１１３の全閉時には、蓋１１３のフック１１５が外装ケース１０１の係合部１１４に係合する。蓋１１３の全閉時には、外装ケース１０１の表面と蓋１１３の表面とが面一でつながることで一体感のある意匠面が形成される。なお、蓋１１３の裏側の空きスペースには、例えば操作・設定のコード表などの銘板を貼付・刻印してもよい。
【００１７】
図２は、外装ケース１０１の下半部１１２の蓋１１３が開かれ、蓋１１３が自重で垂れ下がった状態を示している。図２に示すように、蓋１１３が開かれると、下半部１１２の表面が露出する。外装ケース１０１の下半部１１２の表面には、緊急停止スイッチ２０３、手動除霜スイッチ２０４、警報リセットスイッチ２０５、異常リセットスイッチ２０６、スケジュールスイッチ２０７、設定スイッチ２０８、温度調整／設定選択スイッチ２０９、決定／点検スイッチ２１０、および戻るスイッチ２１１が外装ケース１０１の下半部１１２に形成された各開口部から露出している。上記各スイッチ２０１〜２１１は、冷凍機２の制御内容を設定するための設定部としての機能を有する。
各スイッチ２０１〜２１１の機能は、以下の通りである。
【００１８】
運転／停止スイッチ２０１は、長押し操作によりシステムの運転／停止を設定する。停止は、ポンプダウン停止（冷媒回収後停止）である。長押し操作とすることで誤操作を防止する。運転／停止スイッチ２０１は、停止中に押すと、冷却運転を行う。運転／停止スイッチ２０１は、運転中に３秒以上押すと、冷媒回収停止を行う。
【００１９】
設定調整スイッチ２０２は、設定時には、時、分、温度のアップダウンを行う。また通常時には、号機の選択を行う。設定調整スイッチ２０２は、通常モード３５０（図５で後記する）では、表示号機の選択を行う。また、設定モード３５２（図５で後記する）では、号機選択、各設定のアップダウンを行う。
また、第１の表示領域１２１のセグメントＬＥＤ１３１は、通常時には、最も重要な表示情報である庫内温度を常時表示しているが、設定調整スイッチ２０２の操作により、セグメントＬＥＤ１３１に、庫内温度以外の冷凍機２に関する情報、例えば吐出圧力、吸入圧力、膨張弁開度、霜取運転中を示す情報を表示させることが可能である。
【００２０】
緊急停止スイッチ２０３は、冷却運転、除霜運転を即停止させる。緊急停止スイッチ２０３は、システムの緊急停止を行う。緊急停止スイッチ２０３が押されると、冷媒回収は行わす即停止とする。
手動除霜スイッチ２０４は、選択した号機のコントローラに除霜させる。手動除霜スイッチ２０４は、３秒以上押すと、冷却運転中に除霜運転に移行する。
警報リセットスイッチ２０５は、警報のリセットを行う。
異常リセットスイッチ２０６は、異常停止をリセット（異常停止の解除）し、再運転させる。
【００２１】
スケジュールスイッチ２０７は、スケジュール運転を行うか行わないか設定する。また、スケジュールスイッチ２０７は、スケジュール運転の設定モードに入るとき使用する。スケジュールスイッチ２０７は、３秒未満では、スケジュール設定を行い、３秒以上では、有効／無効の切換えを行う。
【００２２】
設定スイッチ２０８は、各種設定モードに入る時に使用する。設定スイッチ２０８は、３秒未満では、設定モード３５２（図５で後記する）に移行し、３秒以上では、機能選択モード３５１（図５で後記する）に移行する。
温度調整／設定選択スイッチ２０９は、設定モード３５２、点検モード３５３（図５で後記する）、機能選択モード３５１の設定項目を選択する。
【００２３】
決定／点検スイッチ２１０は、各種設定内容の確認および点検モードに移行する時に使用する。決定／点検スイッチ２１０は、３秒以上押されると、点検モード３５３に移行する（停止中のみ）。
戻るスイッチ２１１は、各モードから通常モード３５０（図５で後記する）に戻る時に使用する。
【００２４】
また、各スイッチの組み合わせによる機能は以下の通りである。
緊急停止スイッチ２０３と設定調整スイッチ２０２との同時押しした場合、自己診断モード３５６（図５で後記する）に移行する。
温度調整／設定選択スイッチ２０９の増加スイッチと減少スイッチの同時押しを３秒以上継続した場合、操作ロック設定／解除を切換える。
温度調整／設定選択スイッチ２０９の増加スイッチと減少スイッチと戻るスイッチ２１１の同時押しを３秒以上継続した場合、アラーム回数、警報回数、瞬停回数リセットを行う（停止中のみ）。
決定／点検スイッチ２１０と戻るスイッチ２１１の同時押しを３秒以上継続した場合、現在時刻設定モードに移行する（停止中のみ）。
【００２５】
本実施形態は、リモコン装置１００の表示部１２０に表示領域に特徴を有し、表示部１２０以外の筐体１００ａ（外装ケース１０１）の形状は、既設のリモコン装置の筺体（外装ケース）と同じである。このため、本リモコン装置１００は、既設のリモコン装置に置き換えて使用できる。
【００２６】
図３は、リモコン装置１００の表示部１２０の詳細構成を示す図である。液晶ディスプレイ１３２の液晶画面は、全表示の表示例である。実際には、図３に示す液晶ディスプレイ１３２による全表示（曜日、時刻、号機、異常コード、運転状態など）のうち、該当する状態の表示のみが液晶表示される。
図２および図３に示すように、表示部１２０は、常時、暗所でも視認可能な自発光素子であるセグメントＬＥＤ１３１を有する第１の表示領域１２１と、ＬＣＤ液晶ディスプレイ１３２を有する第２の表示領域１２２と、第１表示領域１２１と第２表示領域１２２との間を遮光する遮光手段１２３と、ＬＥＤからなる運転ランプ１２４と、を備える。なお、遮光手段１２３の詳細については、図４により後記する。
運転ランプ１２４は、運転／停止スイッチ２０１の操作で運転させると点灯し、停止すると消灯する。また、異常停止すると点滅する。
このように、表示部１２０は、表示領域が２つに区分けされており、第１の表示領域１２１と第２の表示領域１２２と、からなる。
【００２７】
<第１の表示領域１２１>
表示部１２０は、横に長い長方形状であり、上下左右に４つの角部を有する。第１の表示領域１２１は、この長方形状における角部に沿って配置する。すなわち、第１の表示領域１２１は、表示部１２０の４つの角部のうち、下側の角部で、かつそのうちの一方の角部に配置する。図３の例では、第１の表示領域１２１は、表示部１２０の左下の角部に沿ってセグメントＬＥＤ１３１が横になるように配置する。このため、第２の表示領域１２２は、第１の表示領域１２１の周囲（第１の表示領域１２１の上部と右部）を取り囲むように、正面視してＬ字形に配置される。また、遮光手段１２３は、図３のハッチング部分に示すように、第１の表示領域１２１と第２の表示領域１２２の間で、正面視してＬ字形に形成される。
【００２８】
第１の表示領域１２１のセグメントＬＥＤ１３１は、常時、発光可能な自発光素子である。セグメントＬＥＤ１３１は、冷凍機２の庫内温度や吸入または吐出圧力、膨張弁開度等の必要情報を常時表示する。吸入または吐出圧力とは冷凍機２に設けられる圧縮機が吸入又は吐出する作動流体の圧力、膨張弁開度とは、冷凍機のサイクル途中に設けられる膨張弁の開度のことである。
また、セグメントＬＥＤ１３１は、霜取運転中の場合に霜取運転中であることを表示する。除霜運転中は、必要情報が正しい値とならない虞があり表示しない態様も考えられる。しかし、単に表示をしないようにすると、使用者はその理由が理解できないことがあり、上記霜取運転中を表示することで使用者の理解を助ける。
【００２９】
<第２の表示領域１２２>
図２および図３に示すように、第２の表示領域１２２は、第１の表示領域１２１の上部と右部を取り囲むように、正面視してＬ字形に配置される。第２の表示領域１２２は、表示領域の面積比で、表示部１２０の表示領域の大部分を占める（略３／４面積比）。第２の表示領域１２２は、バックライト（照明手段）を備えたＬＣＤ液晶ディスプレイ１３２により構成される。
ＬＣＤ液晶ディスプレイ１３２は、バックライト（照明手段）を備え、バックライトを点灯することで視認性を確保する。ＬＣＤ液晶ディスプレイ１３２は、通常時、バックライトを消灯し、必要なときにのみバックライトを点灯することで、信頼性確保や消費電力低減を図る。
【００３０】
因みに、従来例では、表示部は、第１の表示領域の設定がなく、すべてがＬＣＤ液晶ディスプレイにより構成されていた。このＬＣＤ液晶ディスプレイは、いずれかの操作スイッチの操作により所定時間のみバックライトが点灯する構成であった。本実施形態では、表示部１２０は、従来、ＬＣＤ液晶ディスプレイで表示していた温度表示７セグメント部分を、第１の表示領域１２１のセグメントＬＥＤ１３１（自発光素子）に置き換え、かつ、この第１の表示領域１２１を、液晶ディスプレイの形状変更が最も少なくなるような表示部１２０の端部に沿って配置する。
【００３１】
<遮光手段>
遮光手段１２３は、図２および図３のハッチング部に示すように、第１表示領域１２１と第２表示領域１２２との間を遮光する。詳細には、遮光手段１２３は、第１表示領域１２１のセグメントＬＥＤ１３１の発光（例えば、赤色ＬＥＤによる赤色発光）がクリアカバー１５０の側面や内面等に乱反射して第２表示領域１２２のＬＣＤ液晶ディスプレイ１３２の視認性を低下させることを防止する。また、第２表示領域１２２のＬＣＤ液晶ディスプレイ１３２のバックライト点灯時、大面積のバックライト光が第１表示領域１２１のセグメントＬＥＤ１３１に回り込んでセグメントＬＥＤ１３１の視認性を低下させることを防止する。
【００３２】
遮光手段１２３は、例えば、下記により構成することができる。（１）ＬＣＤ液晶ディスプレイ１３２が載置された回路基板１４０（図４参照）の該当部分の側面に遮光用の不透明部材（例えば不透明なテープ）を付着させる。（２）図４（ａ）に示すように、回路基板１４０の該当部分に、第１表示領域１２１を取り囲むように高さ方向に（クリアカバー１５０側に）突出する不透明な立壁１４１を形成する。（３）図４（ｂ）に示すように、クリアカバー１５０に、第１表示領域１２１を取り囲むように深さ方向に（回路基板１４０側に）突出する不透明な立壁１５１を形成する。なお、遮光手段１２３は、上記（１）〜（３）の遮光構造のうちいずれを用いてもよい。
【００３３】
以下、図３を参照して表示部１２０の表示機能について説明する。
<第１の表示領域１２１の表示機能>
図３に示すように、表示部１２０の第１の表示領域１２１のセグメントＬＥＤ１３１は、４つのセグメントＬＥＤ１３１ａ〜１３１ｄからなる。セグメントＬＥＤ１３１は、通常時、最も重要な表示情報である冷凍庫・冷蔵庫１０（図１参照）の庫内温度（冷凍機２に関する情報）を表示する。また、セグメントＬＥＤ１３１に表示される冷凍機２に関する情報は、後記する図５の設定操作により、庫内温度から、庫内温度以外の冷凍機２に関する情報に変更可能である。すなわち、通常時には、常時発光のセグメントＬＥＤ１３１に、最も重要な表示情報である庫内温度を常時表示する。これにより、リモコン装置１００の周囲環境がどのような状況（例えばリモコン装置１００の周囲が薄暗くてリモコン装置１００の設置場所自体が分かり難い状況）であっても最も重要な表示情報である庫内温度情報だけは確実に視認できる。また、操作者は、常時、自発光しているセグメントＬＥＤ１３１の点灯光（庫内温度の点灯光）を頼りにリモコン装置１００の設置場所を知ることができる。
【００３４】
また、第１の表示領域１２１の上部および右側面部には、遮光手段１２３が設けられている。これにより、セグメントＬＥＤ１３１から第２表示領域１２２への漏洩光が遮光され、特にバックライト（照明手段）が点灯していない場合のＬＣＤ液晶ディスプレイ１３２の視認性悪化を抑制できる。
【００３５】
<第２の表示領域１２２の表示機能>
図３に示すように、表示部１２０の「庫内温度」バックライト（照明手段）を備えたＬＣＤ液晶ディスプレイ１３２により構成される。
ＬＣＤ液晶ディスプレイ１３２は、第１の表示領域１２１の上部に隣接して、「設定温度」３０１、「庫内温度」３０２の状態表示と、第１の表示領域１２１の右側面部に隣接して、「％」３０３、「ＭＰａ」３０４、「℃」３０５の状態表示を行う。例えば、第１の表示領域１２１のセグメントＬＥＤ１３１が、庫内温度を表示している場合、ＬＣＤ液晶ディスプレイ１３２の現在の表示状態が庫内温度であることを、「庫内温度」３０２および「℃」３０５で液晶表示する。なお、この場合、「設定温度」３０１および「％」３０３、「ＭＰａ」３０４は液晶表示しない。
【００３６】
ＬＣＤ液晶ディスプレイ１３２は、設定モードに切換えた時使用する「設定」３０６と、周期除霜設定場合に表示する「周期」３０７と、時刻除霜設定時表示する「時刻表示」３０８と、操作ロック時に表示する「操作ロック」３０９と、スケジュール設定時に表示する「スケジュール」３１０と、を有する。上記各表示は、該当動作の時に対応するものが表示される。
【００３７】
ＬＣＤ液晶ディスプレイ１３２は、現在の曜日を表示する「現在曜日表示セグメント」３１１と、現在の時刻を表示する「現在時刻表示セグメント」３１２と、コントローラ４（図１参照）の号機を表示する「号機表示セグメント」３１３と、を有する。「現在曜日表示セグメント」３１１は、曜日カーソル３１１ａを有し、曜日カーソル３１１ａは曜日を選択する場合に使用する。「現在時刻表示セグメント」３１２は、現在時刻を２４時表示する。「現在時刻表示セグメント」３１２内の「：」は０．５秒点灯消灯を繰り返す。
【００３８】
ＬＣＤ液晶ディスプレイ１３２は、高温警報状態時表示する「高温警報」３２１と、低温警報状態時表示する「低温警報」３２２と、システムが異常停止した時表示する「異常停止」３２３と、冷凍機異常が発生しているがシステムとしては運転している時表示する「機器異常」３２４と、からなる状態表示３２０を有する。
【００３９】
ＬＣＤ液晶ディスプレイ１３２は、冷却中を表示する「冷却中」３３１と、除霜中を表示する「除霜中」３３２と、停止中を表示する「停止中」３３３と、からなる運転状態表示３３０を有する。
【００４０】
ＬＣＤ液晶ディスプレイ１３２は、同時制御時に表示する「同時制御」３４１と、個別制御時に表示する「個別制御」３４２と、集中制御時に表示する「集中制御」３４３と、点検モード時に表示する「点検」３４４と、からなる制御状態表示３４０を有する。
【００４１】
このように、表示部１２０は、第１の表示領域１２１にセグメントＬＥＤ１３１を備え、第２の表示領域１２２の液晶表示部に、号機表示セグメント３１３、現在曜日表示セグメント３１１、現在時刻表示セグメント３１２、状態表示３２０、および運転状態表示３３０を備える。
【００４２】
以下、上述のように構成されたリモコン装置１００の状態遷移の動作について説明する。
図５は、リモコン装置１００の状態遷移を示す図である。図５中の符号Ｓは、状態遷移の条件を示す。
図５に示すように、リモコン装置１００は、通常モード３５０と、機能選択モード３５１と、設定モード３５２と、点検モード３５３と、異常モード３５４と、スケジュール設定モード３５５と、自己診断モード３５６と、備え、各モードは該当リモコンスイッチの操作状態に応じて、図５の矢印方向に遷移する。基本的には、通常モード３５０は、各モード（機能選択モード３５１、設定モード３５２、点検モード３５３、異常モード３５４、およびスケジュール設定モード３５５）に遷移するとともに、上記各モードから通常モード３５０に遷移する。すなわち、上記各モードは、通常モード３５０を経由して、他のモードに遷移する。ただし、点検モード３５３と異常モード３５４は、通常モード３５０を経由せずに直接遷移可能である。
【００４３】
また、すべてのユニットが停止中に、緊急停止スイッチ２０３（図３参照）と設定調整スイッチ２０２との同時押しした場合、自己診断モード３５６に移行する。自己診断モード３５６は、自己診断が終了した場合、通常モード３５０に移行する。
【００４４】
なお、図示は省略するが、上記各モードのほか、停止中に決定／点検スイッチ２１０（図３参照）と戻るスイッチ２１１を同時に３秒以上押して現在時刻を設定する現在時刻設定モードや、運転中に手動除霜スイッチ２０４を３秒以上押して手動除霜を設定する手動除霜設定モードがある。
【００４５】
・通常モード３５０とスケジュール設定モード３５５間の状態遷移
通常モード３５０で停止中にスケジュールスイッチ３１０（図３参照）を３秒未満押した場合、スケジュール設定モード３５５に状態遷移する（符号Ｓ１参照）。
スケジュール設定モード３５５で現在時刻表示セグメント３１２（図３参照）の「切」時刻の「分」設定で決定／点検スイッチ２１０（図３参照）を押した場合、戻るスイッチ２１１を押した場合、または３分間無操作の場合には、通常モード３５０に状態遷移（復帰）する（符号Ｓ２参照）。
【００４６】
・通常モード３５０と機能選択モード３５１間の状態遷移
通常モード３５０で設定スイッチ２０８（図３参照）を３秒間連続で押し続けた場合、機能選択モード３５１に状態遷移する（符号Ｓ３参照）。
アラーム発生無しで機能選択モード３５１中に戻るスイッチ２１１（図３参照）を押した場合、または２時間無操作の場合には、通常モード３５０に状態遷移（復帰）する（符号Ｓ４参照）。
【００４７】
・通常モード３５０と設定モード３５２間の状態遷移
通常モード３５０で設定スイッチ２０８（図３参照）を３秒未満押した場合、設定モード３５０に状態遷移する（符号Ｓ５参照）。
アラーム発生無しで設定モード３５２中に戻るスイッチ２１１（図３参照）を押した場合、または３０秒間無操作の場合には、通常モード３５０に状態遷移（復帰）する（符号Ｓ６参照）。
【００４８】
・通常モード３５０と点検モード３５３間の状態遷移
通常モード３５０で決定／点検スイッチ２１０（図３参照）を３秒間連続で押し続けた場合、点検モード３５３に状態遷移する（符号Ｓ７参照）。
アラーム発生無しで点検モード３５３中に決定／点検スイッチ２１０を押した場合、または点検モード３５３中に２時間無操作の場合には、通常モード３５０に状態遷移（復帰）する（符号Ｓ８参照）。
【００４９】
・通常モード３５０と異常モード３５４間の状態遷移
アラームが発生した場合、異常モード３５４に状態遷移する（符号Ｓ９参照）。ここでアラームが発生した場合は、通常モード３５０に限らず、機能選択モード３５１、設定モード３５２、および点検モード３５３の各モードから、異常モード３５４に状態遷移する（符号Ｓ１３，Ｓ１４，Ｓ１２参照）
異常モード３５４中に異常リセット２０６（図３参照）を押した場合、または自動復帰により異常モード３５４から復帰した場合には、通常モード３５０に状態遷移する（符号Ｓ１０参照）。
【００５０】
・異常モード３５４と点検モード３５３間の状態遷移
異常モード３５４中に決定／点検スイッチ２１０を押し続けた場合、点検モード３５３に状態遷移する（符号Ｓ１１参照）。
アラーム発生状態で点検モード３５３中に決定／点検スイッチ２１０を押した場合、または点検モード３５３中に２時間無操作の場合には、異常モード３５４に状態遷移する（符号Ｓ１２参照）。
【００５１】
・機能選択モード３５１から異常モード３５４への状態遷移
アラーム発生状態で機能選択モード３５１中に戻るスイッチ２１１を押した場合、または２時間無操作の場合には、異常モード３５４に状態遷移する（符号Ｓ１３参照）。
【００５２】
・設定モード３５２から異常モード３５４への状態遷移
アラーム発生状態で設定モード３５２中に戻るスイッチ２１１を押した場合、または３０秒間無操作の場合には、異常モード３５４に状態遷移する（符号Ｓ１４参照）。
【００５３】
・自己診断モード３５６への状態遷移
接続確認またはモニタモードの場合ですべてのユニットが停止中に、緊急停止スイッチ２０３（図３参照）と設定調整スイッチ２０２との同時押しした場合、自己診断モード３５６に移行する（符号Ｓ１５参照）。自己診断モード３５６は、自己診断が終了した場合、通常モード３５０に移行する（符号Ｓ１６参照）。
【００５４】
以上説明したように、本実施形態に係るリモコン装置１００は、冷凍機２に関する情報を表示する表示部１２０と、冷凍機２の制御内容を設定するためのスイッチ２０１〜２１１とを筺体１００ａに備え、表示部１２０は、セグメントＬＥＤ１３１が常時発光して冷凍機２に関する情報を表示する第１の表示領域１２１と、バックライトが備わるＬＣＤ液晶ディスプレイ１３２により冷凍機２に関する情報を表示する第２の表示領域１２２と、第１の表示領域１２１と第２の表示領域１２２との間に設置され、相互の光の干渉を遮光する遮光手段１２３と、を有する。第１の表示領域１２１は、表示部１２０の長方形状の表示領域の４つの角部のうちの１つに配置され、第２の表示領域１２２は、長方形状の表示領域の角部に配置された第１の表示領域１２１を取り囲むように配置される。
また、通常時には、第１の表示領域１２１は、庫内温度を表示し、第２の表示領域１２２は、庫内温度以外の冷凍機２に関する情報を表示する。また、設定調整スイッチ２０２の操作により、第１の表示領域１２１に、庫内温度以外の冷凍機２に関する情報、例えば吐出圧力、吸入圧力、膨張弁開度、霜取運転中を示す情報を表示させる。
【００５５】
このように、リモコン装置１００の表示部１２０を２つの領域に分割して、一方の第１の表示領域１２１は、セグメントＬＥＤ１３１により、常時、暗所でも視認可能な庫内温度を表示する。他方の第２の表示領域１２２は、ＬＣＤ液晶ディスプレイ１３２により庫内温度以外の冷凍機２に関する情報を表示する。また、必要に応じてＬＣＤ液晶ディスプレイ１３２のバックライトを点灯させる。さらに、設定調整スイッチ２０２の操作により、第１の表示領域１２１に表示する冷凍機２に関する情報を、例えば吐出圧力、吸入圧力、膨張弁開度、霜取運転中を示す情報などに切換える。この場合、図５に示すリモコンスイッチの状態遷移に連動させる態様でもよい。
これにより、消費電力を抑制しつつ視認性を向上させた冷凍装置用リモコン装置を提供することができる。
【００５６】
本実施形態では、表示部１２０以外の筐体１００ａ（外装ケース１０１）の形状は、既設のリモコン装置の筺体（外装ケース）と同じである。このため、本リモコン装置１００は、既設のリモコン装置に置き換えて使用できる。
【００５７】
また、本実施形態では、第２の表示領域１２２は、長方形状の表示領域の角部に配置された第１の表示領域１２１を取り囲むようにＬ字型に配置される。このため、表示部１２０の長方形状の表示領域の外形形状と寸法は、既設のリモコン装置の表示部と同じである。表示部１２０の外形形状と寸法に変更がないので、表示部１２０以外の構造を変えなくても済み、低コストで汎用的に導入が可能である。
【００５８】
本実施形態では、第１の表示領域１２１のセグメントＬＥＤ１３１は、常時発光して冷凍機２に関する情報（特に庫内温度）を表示するので、重要な表示情報である庫内温度をいつでも視認可能になることは勿論のこと、セグメントＬＥＤ１３１の常時発光が、リモコン装置１００の配置場所を知らせる指標（パイロットランプ）となって使用者をリモコン装置１００の配置場所に誘導することができる。リモコン装置１００の配置場所は、様々であり、冷凍庫・冷蔵庫１０（図１参照）内に配置されることもある。リモコン装置１００の配置場所は、薄暗い場所であることも多い。さらに、使用者が複数のリモコン装置１００を巡回して、表示内容を管理することもある。以上のような場合、リモコン装置１００の配置場所が、常時発光のセグメントＬＥＤ１３１によって直感的に把握できるので使用者にとって使い勝手が良い効果がある。換言すれば、本実施形態のリモコン装置１００は、配置場所に依存されない効果がある。
【００５９】
本実施形態では、第１の表示領域１２１のセグメントＬＥＤ１３１が、常時発光して冷凍機２に関する情報を表示するので、使用者が第２の表示領域１２２の冷凍機２に関する情報を見る回数・時間を減らすことができる。これに伴い、第２の表示領域１２２のＬＣＤ液晶ディスプレイ１３２は、バックライトを点灯する頻度も減少し、使用者は必要に応じてバックライトを点灯させればよい。バックライトの点灯時間を減らせるので、消費電力を抑制でき、バックライトの長寿命化を図ることができる。
【００６０】
なお、本発明は、上記実施形態に記載した構成に限定されるものではなく、特許請求の範囲に記載した本発明の要旨を逸脱しない限りにおいて、適宜その構成を変更することができる。
例えば、冷凍機について説明したが、物体を低温に冷却する冷凍装置、液体を冷却するチラー、水を加熱する給湯機にも適用することができる。
【００６１】
上記した実施形態例は本発明をわかりやすく説明するために詳細に説明したものであり、必ずしも説明した全ての構成を備えるものに限定されるものではない。また、ある実施形態例の構成の一部を他の実施形態例の構成に置き換えることが可能であり、また、ある実施形態例の構成に他の実施形態例の構成を加えることも可能である。また、各実施形態例の構成の一部について、他の構成の追加・削除・置換をすることが可能である。
【符号の説明】
【００６２】
１  冷凍機システム（冷凍装置）
２  冷凍機（冷凍装置）
３  ユニットクーラ
４  コントローラ
５  伝送線
１００  リモコン装置
１００ａ  筐体
１０１  外装ケース
１２０  表示部
１２１  第１の表示領域
１２２  第２の表示領域
１２３  遮光手段
１２４  運転ランプ
１３１  セグメントＬＥＤ
１３２  ＬＣＤ液晶ディスプレイ
１４０  回路基板
１４１，１５１  立壁（遮光構造）
１５０  クリアカバー
２０１  運転／停止スイッチ（設定部）
２０２  設定調整スイッチ（設定部）
２０３  緊急停止スイッチ（設定部）
２０４  手動除霜スイッチ（設定部）
２０５  警報リセットスイッチ（設定部）
２０６  異常リセットスイッチ（設定部）
２０７  スケジュールスイッチ（設定部）
２０８  設定スイッチ（設定部）
２０９  温度調整／設定選択スイッチ（設定部）
２１０  決定／点検スイッチ（設定部）
２１１  戻るスイッチ（設定部）
【図１】
0006664174.tif 000002
【図２】
0006664174.tif 000003
【図３】
0006664174.tif 000004
【図４】
0006664174.tif 000005
【図５】
0006664174.tif 000006